(57)【要約】【課題】略方形に形成された熱交換器と略長方形に形成された吹出口を組み合わせ、しかも通風抵抗を小さくして高い熱交換性能を得ることができる空気調和装置の室内機を提供することにある。【解決手段】熱交換器の直線領域と平行に配置された略長方形の吹出口を、直線領域の間でファンの回転進入側に寄せた位置に配置する。所定の風速が得られるように決められた長さを有する吹出口を、風速が大きいファンの回転進入側に寄せて配置するようにしたので、通風抵抗を小さくして効率よく空気を吹出口から吹き出すことができるようになる。これによって、結果として空気調和装置の省エネルギー化に貢献できるようになる。【選択図】図１
2014163606.tif 000002
【特許請求の範囲】
【請求項１】
下面がほぼ方形とされた箱状のケーシングと、このケーシングの下面に取り付けられた化粧パネルと、前記ケーシングの内部に設けられた送風ファンと、前記ケーシング内で前記送風ファンを囲むように直線領域とこの直線領域を接続する曲り領域を備える略方形の熱交換器と、前記ケーシング及び前記化粧パネルに形成され、前記熱交換器で熱交換された空気を室内に吹き出す少なくとも一つ以上の略長方形の吹出口とが設けられ、前記送風ファンで発生した空気が前記熱交換器での熱交換後に前記吹出口から吹き出すようにされている空気調和装置の室内機において、
前記略長方形の吹出口は、前記熱交換器の前記直線領域と平行に配置されていると共に、前前記直線領域の間で前記送風ファンの回転進入側に寄せた位置に配置されていることを特徴とする空気調和装置の室内機。
【請求項２】
下面がほぼ方形とされた箱状のケーシングと、このケーシングの下面に取り付けられた化粧パネルと、前記ケーシングの内部に設けられた送風ファンと、前記ケーシング内で前記送風ファンを囲むように直線領域とこの直線領域を接続する曲り領域を備える略方形の熱交換器と、前記ケーシング及び前記化粧パネルに形成され、前記熱交換器で熱交換された空気を室内に吹き出す略長方形の吹出口とが設けられ、前記送風ファンで発生した空気流が前記熱交換器での熱交換後に前記吹出口から吹き出すようにされている空気調和装置の室内機において、
前記略長方形の吹出口は、前記熱交換器の前記直線領域と平行に配置されていると共に、前記送風ファンの回転中心から前記吹出口に直交する方向に延ばした中心線Ｃeに対して、前記吹出口の長さ方向の中心点は前記直線領域の間で前記ファンの回転進入側の曲り領域Ｃｏ側寄りの位置に存在し、前記中心線Ｃeを境として前記送風ファンの回転進入側の吹出口の長さは前記送風ファン１の回転退出側の吹出口長さに比べて長く設定されていることを特徴とする空気調和装置の室内機。
【請求項３】
請求項１或いは請求項２に記載の空気調和装置の室内機において、
前記略長方形の吹出口は、前記熱交換器の前記直線領域に対応した４つの吹出口であるか、前記熱交換器の相対向する前記直線領域に対応した２つの吹出口であることを特徴とする空気調和装置の室内機。
【請求項４】
請求項１乃至請求項３のいずれかに記載の空気調和装置の室内機において、
前記のケーシングの一つの角部領域には、少なくとも熱交換器配管と接続されるガスヘッダー、分配器、膨張弁、配管接続部等の構成部品が前記ケーシングの一側面に寄せて配置されると共に、この一側面側に位置する前記熱交換器の前記直線領域の前記送風ファン側の面と実質的に面一になるように配置されたバッフルプレートによって前記構成部品が囲まれていることを特徴とする空気調和装置の室内機。
【請求項５】
請求項１乃至請求項４のいずれかに記載の空気調和装置の室内機において、
前記熱交換器で発生した凝縮水を排水する排水ポンプを、前記ケーシングと前記熱交換器の直線領域の間に配置したことを特徴とする空気調和装置の室内機。
【請求項６】
請求項１乃至請求項４のいずれかに記載の空気調和装置の室内機において、
前記熱交換器で発生した凝縮水を排水する排水ポンプを、前記ケーシングと前記熱交換器の直線領域の間であって、かつ前記排水ポンプを基準にして次の前記直線領域の延長面よりも前記送風ファンのファン回転進入側に配置したことを特徴とする空気調和装置の室内機。
【発明の詳細な説明】
【技術分野】
【０００１】
本発明は空気調和装置の室内機に係り、特に、冷風或いは温風が室内の天井から吹き出るように天井に埋め込み設置されて用いられる空気調和装置の室内機に関するものである。
【背景技術】
【０００２】
一般に空気調和装置の室内機には、室内壁面の上部に掛けるように設置される壁掛け式の室内機と、天井に埋め込んで設置される埋め込み式の室内機とが知られている。天井に埋め込み設置される室内機は広い室内を空気調和するのに適しており、本発明はこの天井に埋め込み設置して用いられる空気調和装置の室内機を対象とするものである。
【０００３】
このような構成の空気調和装置の室内機は、例えば特開２００５‐２４１０６９号公報（特許文献１）に記載されている。
【０００４】
図８には上記特許文献１にあるような一般的な天井に埋め込んで設置される４方向吹出し型の室内機の構成を示している。室内機は、枠体の内部に送風機として例えば遠心型やターボ型の送風ファン１（以下、送風ファンをファンと省略して表記する）を設けるとともに、その周囲に熱交換器（ここでは配管２を示している）を設けた構造となっている。枠体は、下面（天井に設置される面）がほぼ方形とされた箱状のケーシング３と、このケーシング３の下面に取り付けられる化粧パネル２０からなり、その下面には方形の各側辺に沿うようにして４個の細長い吹出口１１が設けられている。吹出口１１は、ケーシング３に設けられる吹出口１１に化粧パネル２０に設けられる吹出口１１を重ね合わせた構造とされるのが通常である。また、ケーシング３の角部には熱交換器２に結露する水分を受ける水受に溜まった水分を排出する排水ポンプ４が取り付けられている。更にもう一方のケーシング３の角部には、ガス側配管接続口５、液側配管接続口６、ガスヘッダー７、分配器８、及び膨張弁９が設置され、これらはバッフルプレート１２によって囲われている。そして、図８にあるように、ファンの回転中心と相対する各吹出口１１の長さ方向の中心点は同一線上に位置するようになっている。つまり、図８に示すように、ファン１の中心点から吹出口１１に延ばした中心線Ｃeを境にして吹出口１１のＡ寸法とＢ寸法はほぼ同じ長さとなっている。
【先行技術文献】
【特許文献】
【０００５】
【特許文献１】特開２００５‐２４１０６９号公報
【発明の概要】
【発明が解決しようとする課題】
【０００６】
そして、この種の空気調和装置においては、地球温暖化を抑制するために極力少ない電力エネルギーで室内を所定の設定温度に空気調和することが求められている。このためには種々の観点から構成部品の改良や風路構造の改良等が行われている。このような改良の中で、熱交換器による熱交換された空気を効率よく吹出口から吹き出出すためには、熱交換器の形状を、直線領域と、隣り合う直線領域を相互に接続する曲り領域より構成された略方形の形状を有するように形成すると共に、この略方形の熱交換器の直線領域に対応するように略長方形の形状に形成された吹出口を組み合わせることが望ましいことがわかった。
ところが、単にこのような組み合わせを行なって図８に示してあるような構成を採用したとして、吹出口から空気を高い効率で吹き出すことができないことが判明した。その理由は、吹出口が接続される熱交換器の直線領域の風速分布に偏りがあることである。
【０００７】
図９に示してあるように、ファン１から吹出された空気流は、熱交換器２に対して曲り領域では略垂直に流入し直線領域では傾いて流入する。そして略垂直に流入する曲り領域で風速が相対的に大きくなっている。その理由は、曲り領域では空気流が塞き止められる構造になっていることに加え、ファン１と熱交換器２との距離が大きくなることによって熱交換器の曲り領域付近で静圧が回復し、熱交換器２の前後の静圧差が大きくなるので基本的に空気が多く流れやすくなるためである。このため、熱交換器２の曲り領域から次の曲り領域の間に存在している直線領域の風速は、ファン１の回転進行方向に従って遅くなる傾向を呈するようになる。
【０００８】
このように、熱交換器の直線領域の風速分布に偏りがあるということは通風抵抗に偏りがあるということである。したがって、風速が大きい領域を使用すれば通風抵抗を小さくできることになる。このためには風速の大きい領域まで吹出口の長さを長くすることが考えられるが、実際的な問題として、所定の風速を得るために吹出口の長さを長くするといった手法を採用することはできないという制約がある。
【０００９】
このような背景のもとで、所定の風速を得るために決められた吹出口の長さをそれほど変更しないで、如何にして通風抵抗を小さくして効率よく吹出口から空気を吹き出すかが重要となってくるものである。
【００１０】
本発明の目的は、略方形に形成された熱交換器と略長方形に形成された吹出口を組み合わせ、しかも通風抵抗を小さくして効率よく空気を吹出口から吹き出すことができる空気調和装置の室内機を提供することにある。
【課題を解決するための手段】
【００１１】
本発明の特徴は、略長方形の吹出口を熱交換器の前記直線領域と平行に配置すると共に、この吹出口を直線領域の間でファンの回転進入側に寄せた位置に配置する、ところにある。
【発明の効果】
【００１２】
本発明によれば、所定の風速が得られるように決められた長さを有する吹出口を、熱交換器から吹き出す風速が大きいファンの回転進入側に寄せて配置するようにしたので、通風抵抗を小さくして効率よく空気を吹出口から吹き出すことができるようになる。これによって、結果として空気調和装置の省エネルギー化に貢献できるようになるものである。
【図面の簡単な説明】
【００１３】
【図１】本発明の第１の実施形態（実施例１）になる室内機の内部構成を示す構成図である。
【図２】図１の示す室内機の横断面の構成を示す断面図である。
【図３】図１に示す室内機の天井側の構成を示す構成図である。
【図４】図１に示す室内機に使用される熱交換器のフィンの構成を示す構成図である。
【図５】本発明の第２の実施形態（実施例２）になる室内機の内部構成を示す構成図である。
【図６】本発明の第３の実施形態（実施例３）になる室内機の内部構成を示す構成図である。
【図７】図６に示す室内機の天井側の構成を示す構成図である。
【図８】従来の室内機の内部構成を示す構成図である。
【図９】図８に示す室内機の熱交換器から吹き出す空気の速度分布を示す説明図である。
【発明を実施するための形態】
【００１４】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１５】
まず、本発明の第１の実施形態について図１乃至図４を用いて詳細に説明する。図１及び図２において、天井埋め込み設置型の空気調和装置の室内機の主な構成は、ファン１と熱交換器配管２とフィン１０から成る熱交換器１４と、膨張弁９、排水ポンプ４、ファン回転数などを制御する制御基板（図示せず）と、これらを収納し下面がほぼ方形とされた箱状のケーシング３等から構成されている。そして、これらは天井板１９に埋め込まれて設置されているものである。尚、室内機のケーシング３と天井板１９の間には方形の化粧パネル２０が介装されており、意匠的に見栄えが良いものとされている。
【００１６】
ファン１は一般に遠心ファンまたはターボファンと呼ばれるものを使用しており、ファンモータ１３によって回転駆動されることによって回転中心側から空気を吸い込み、円周側より空気を回転半径方向に吹き出すものが使用されている。ケーシング３の内部において、ファン１は中央に配置され、ファン１の外周側を覆うように、かつ方形のケーシングに沿って熱交換器１４が配置されている。更にケーシング３の下部中央に正方形状の吸込口が形成されたグリル１６が固定されており、この吸込口よりファンの回転中心側に室内の空気が吸い込まれる。
【００１７】
またケーシング３の下部には、この吸込口を形成したグリル１６の外周側で吸込口の４辺に沿って形成された略長方形状の吹出口１１を備えている。そして、ファン１の外周より半径方向に吹き出された空気は、熱交換器１４を通って吹出口１１より室内へ吹き出されるように流路が形成されている。この吹出口１１は化粧パネル２０に形成した吹出口をも含んでいるものである。したがって、以下では化粧パネル２０とケーシング３に形成された吹出口を総称して吹出口１１ということにする。
【００１８】
グリル１６に形成した吸込口には、埃などがケーシング３内に入ることを防止するためのフィルター１７が取り付けられている。また、化粧パネル２０の吹出口１１付近には、空気の吹き出し方向を上下方向、或いは左右方向に調整するフラップ(羽根)１８が設けられている。
【００１９】
ファン１の回転によって吸込口から吸い込まれた室内空気は熱交換器１４で加熱、或いは冷却され、調和された空気として吹出口１１から吹き出すようになる。この際に熱交換器１４の表面で凝縮した凝縮水は、熱交換器１４下部の排水溝１５を通って排水ポンプ４により室内機の外に排出される。一般的には可撓性のパイプを使用して屋外に排出されるようになっている。
【００２０】
図４にあるように、熱交換器１４には熱交換器配管２の内部に冷媒が流れ、その外側を空気が流れる構造となっている。熱交換器配管２の表面にはフィン１０が取り付けられ、熱交換器配管２の表面の熱（温熱、或いは冷熱）をフィン１０に熱伝導によって拡散させ、このフィン１０の表面周囲を流れる空気と熱交換するようになっている。
【００２１】
熱交換器１４は一般に複数の熱交換器配管２が設けられている。この熱交換器配管２の両端には、一方に複数の配管パスに並列にかつ、一般的には均等に液冷媒を流すため分配器８が取り付けられ、他方にはガス冷媒を分配もしくは集合させるためのガスヘッダー７が取り付けられている。
【００２２】
また、熱交換器１４には、圧縮機を搭載する室外機と冷媒を送受するためのガス側配管接続部５と液側配管接続部６が設けられている。これらの配管接続部５、６はケーシング３の外部に出ており、室内機を天井に設置後に配管が接続できるようになっている。
【００２３】
更に、一般には常にガス比率の高い冷媒の流れるガス配管と、常に液比率の高い冷媒の流れる液配管が一義的に決まるようになっている。このため、ケーシング３の内部で、分配器８と液側配管接続部６との間には膨張弁９が設けられている。
【００２４】
本実施例の熱交換器１４は熱交換する面積をできるだけ大きくするために、方形のケーシング３の形状に合わせてファン１の周囲を略方形状に囲む形状とされている。したがって、この熱交換器１４は４辺の直線領域Ｓｔと、４つの角部の内、隣り合う直線領域を接続する３つの曲り領域Ｃｏと、残りの角部に形成される室外機と接続される配管やその他の構成部品、分配紀や膨張弁９等が配置される配管接続領域とから構成されるようになる。尚、熱交換器配管２もこれに合わせて直線領域Ｓｔと曲り領域Ｃｏを備えることになる。
【００２５】
図１のケーシング３の右上の一つの角部領域には上述した配管接続領域が位置するようになっている。この角部領域にはガス側配管接続口５と液側配管接続口６がケーシング３の外部に出ており、ここに室外機とつながる冷媒配管が接続される。またガス側配管接続口５は、熱交換器のガスヘッダー７と配管接続され、液側配管接続口６は膨張弁９を経由して分配器８と配管接続される。分配器８は、冷媒を複数の冷媒配管に分配するものであり、分配器８と熱交換器１４は複数の配管で接続されている。
【００２６】
また、ガス側配管接続口５、液側配管接続口６、ガスヘッダー７、分配器８、膨張弁９が設置される配管接続領域は、バッフルプレート１２によって囲われている。これは、ケーシング３の開口部からガス側配管接続口５、液側配管接続口６が外部に引き出されているため隙間が存在し、この隙間を通ってファン１によって加圧された空気が外部へ流れてしまうことを防ぐためである。また、ガスヘッダー７、分配器８、膨張弁９は通風抵抗になることが考えられるため、ファン１による空気の流れから隔離するためでもある。
【００２７】
図２に図１の室内機を断面した断面構造を示している。室内機は室内の天井板１９の内側に設置されるもので、天井板１９より下側が室内側、天井板１９より上側が天井の内側となる。尚、図２にある矢印は空気の流れを示しており、室内の空気は、グリル１６とフィルター１７を通過し、ベルマウス２２によってファン１の中央に流れる。
【００２８】
ファン１はその上部のファンモータ１３により回転駆動され、ファン１の中央から吸い込んだ空気を図２中の左右に吐き出すようになる。ファン１の外側には熱交換器１４が配置され、ここを空気が通過することで冷房運転或いは暖房運転に応じて所定の温度に調整される。また熱交換器１４を通過した空気は、ケーシング３内部に形成した通風流路に沿って流れ、吹出口１１より室内に吹出される。また吹出口１１には吹出し方向の調整のためのフラップ１８が取り付けられている。
【００２９】
図３は化粧パネルを室内側からみた上面図を示しており、天井側にはほぼ正方形の化粧パネル２０が取り付けられている。この化粧パネ２０ルにグリル１６、フィルター１７、フラップ１８が備えられることになる。また、化粧パネル２０の正方形の面は室内側から見上げた時にケーシング３が見えないように大きく作られている。
【００３０】
図４には熱交換器１４の熱交換器配管２に取り付けられたフィン１０の構成を示しており、フィン１０は熱交換器配管２に対して直交するように垂直に取り付けられている。また、図４にはファン１によって生じる空気の流れを模式的に矢印で記載した。
【００３１】
以上のような構成において、次に本実施例になる室内機の動作について説明する。図４にあるように、ファン１の回転によって、吸い込まれた空気はファン１の半径方向よりもファン１の回転方向２１に傾いてファン１から吹き出される。
【００３２】
このため、熱交換器１４の直線領域Ｓｔにおいては、ファン１の回転進入側ではファン１から吹き出された空気の流れと、フィン１０の向きがおよそ一致することで空気が流れ易くなる。もちろん、ファン１と熱交換器１４との間の距離が大きくなることによって曲り領域Ｃｏ付近の静圧が回復し、この部分の熱交換器前後の静圧差が大きくなることで空気が多く流れ易くなることも寄与している。逆に、直線領域Ｓｔのファン１の回転退出側では、ファン１から吹き出された空気の流れと、フィン１０の向きが一致しなくなり空気が流れ難くなる。
【００３３】
つまり、ファン１の回転方向２１からみて、曲り領域Ｃｏから直線領域Ｓｔに接続される付近から直線領域Ｓｔを進むにつれて、空気の流れ易さが悪くなるものである。このため、この直線領域Ｓｔでは、ファン１の回転方向２１からみて、曲り領域Ｃｏから直線領域Ｓｔに接続される付近から、この直線領域Ｓｔを進み次の曲り領域Ｃｏに接続される付近までの間において、図９にあるように風速が減少していく風速分布を有するようになる。
【００３４】
したがって、曲り領域Ｃｏと直線領域Ｓｔを備えた略方形の熱交換器を用いた場合、図９にも示されるように、熱交換器１４を通過後の空気の量はファン１の回転方向２１からみて、曲り領域Ｃｏから直線領域Ｓｔに接続される付近から直線領域Ｓｔを進むにつれてだんだん少なくなってくる挙動を示すことになる。つまり、直線領域Ｓｔを進むにつれて空気の流れ易さが悪くなるものである。
【００３５】
ところが、図８にあるような従来の室内機においては、ファン１の中心から吹出口１１に延ばした中心線Ｃeを境にして吹出口１１のＡ寸法とＢ寸法はほぼ同じ長さとなっている。しかも、吹出口１１の長さは所定の風速を得るために吹出口の長さを長くするといった手法を採用することはできない。このため、吹出口１１の配置位置は必ずしも熱交換器の１４の直線領域Ｓｔの風速が早い領域に配置されたものとはならない。
【００３６】
そこで、本実施例においては、このような風速分布を考慮した場合、風速の大きい側、言い換えれば風量が多い側の方が圧力損失の影響は支配的になるので、風量が少ない側の流路圧力損失を多少増やしても風量の多い側の圧力損失を小さくする構成を採用したほうが全体の圧力損失を小さくできる、という技術的な知見から以下の構成を採用するようにしたものである。
【００３７】
尚、ここで、上述したように吹出口１１の長さは実際的な問題として、所定の風速を得るために吹出口の長さを長くするといった手法を採用することはできないという制約がある。このため吹出口１１の長さをそれほど長くしないことを前提としている。
【００３８】
本実施例では図１にあるように、直線領域Ｓｔの範囲において、吹出口１１をファン１の回転方向２１から見てファン１の回転進入側に寄せて配置するようにしたことを特徴としている。具体的に述べると、ファン１の回転中心から夫々の吹出口に直交するように延ばした中心線Ｃeに対して、吹出口１１の長さ方向の中心点はこの中心線Ｃeと一致せず、吹出口１１の長さ方向の中心点はファン１の回転進入側の曲り領域Ｃｏ側に寄せて存在している。このため、中心線Ｃeを境としてファン１の回転進入側の吹出口１１の長さであるＡ寸法は、ファン１の回転退出側の吹出口１１の長さであるＢ寸法に比べて長くなることになる。したがって、吹出口１１は熱交換器１４の直線領域Ｓｔの間で、風速が早い側、言い換えれば風量が多い側に寄せて配置されることになる。
【００３９】
これにより、直線領域Ｓｔの風量が少ないファン１の回転退出側から見ると、吹出口１１までの距離が長く、フィン１０の通過面積が見掛け上狭くなるため圧力損失が増えるが、直線領域Ｓｔの風量が多いファン１の回転進入側から見ると、吹出口１１までの距離が短く、ファン１の回転退出側に比べてフィン１０の通過面積が広くなるため圧力損失が低減するようになる。
【００４０】
そして、上述したように風量の大きい側の方が全体の圧力損失としては支配的であると考えられるため、このような配置をすることで全体の通風抵抗の低減を図ることができ、結果として風量の増加につなげることができるようになる。また、通風抵抗が低減すれば、同じファン１の回転数ならば風量は増加して熱交換性能が向上するため、室外機の圧縮機の負荷が下がり省エネルギー化に寄与することが期待できる。更に、通風抵抗が低減すれば、同じ風量を出すためファン１の回転数を低くすることができるため、ファン１を回転駆動するファンモータ１３の電力が削減でき、これも省エネルギー化に寄与することが期待できる。
【００４１】
また、本実施例では、吹出口１１を熱交換器１４のファン１の回転進入側に寄せることによって配管接続領域の空間確保が容易となる。つまり、吹出口１１をファン１の回転進入側に寄せることによってこの分だけ配管接続領域が位置する空間が確保しやすくなり、図１にあるように、バッフルプレート１２のファン１と向き合う側面を、熱交換器１４の直線領域Ｓｔと平行で、かつ熱交換器１４の内側の面と実質的に一致、いわゆる面一になるように配置することができるようになる。このために、この部分に分配器８と接続する熱交換器１４の端部を配置し、さらに膨張弁９、ガスヘッダー７等を配置することができるようになった。つまり分配器８、膨張弁９、ガスヘッダー７等の構成部品を一つの側面側に寄せて配置する構成を採用できるようになった。このようにすると熱交換器１４を有効に活用することが可能となる。理由は以下の通りである。
【００４２】
図８にある従来の室内機では、ファン１の回転中心を通る中心線Ｃeを境に吹出口１１はほぼ左右対称であった。つまり、Ａ寸法とＢ寸法がほぼ同じであった。このため、分配器８、膨張弁９、ガスヘッダー７等の構成部品を一つの側面側に寄せて配置する構成をとると、熱交換器１４のファンの回転退出側の直線領域Ｓｔが大きく削られることになる。このため、本来あるべき熱交換器部分が無くなるので、この部分の熱交換器が活用できなくなってしまう課題があった。
【００４３】
そこで、本実施例のように吹出口１１をファン１の回転進入側へ寄せて配置した構成とすることで、バッフルプレート１２を熱交換器１４の内側と同一面となるまで寄せても、熱交換器１４の直線領域Ｓｔを十分確保できるようになる。これによって、図８に示す従来の室内機において、削られていた熱交換器１４の直線領域Ｓｔを最大限に活用できるようになった。特に、ファン１の回転方向２１から見て、配管接続領域から次の直線領域Ｓｔに至る部分は、直線領域Ｓｔの範囲でファン１の回転進入側であるので風量が大きい部分である。分配器８、膨張弁９、ガスヘッダー７等の構成部品をケーシング３の一つの側面側に寄せて配置する構成をとることによって、ファン１の回転進入側、つまり風量が多い部分に吹出口１１を配置できるので風量確保の向上に寄与するようになるものである。また、これ以外に、分配器８、膨張弁９、ガスヘッダー７等の構成部品をケーシング３の一つの側面側に寄せて配置できるので構成がコンパクトにできる効果がある。
【００４４】
また図２に示すように、熱交換器１４の下側には、ケーシング３によって排水溝１５が形成されており、冷房時などに熱交換器１４で凝縮した水は熱交換器１４のフィンを伝って排水溝１５に落下する。そして、排水溝１５に溜まった水は排水ポンプ４によりケーシング３外部に排出される。従来の室内機では排水ポンプ４は図８に示すように室内機の角部に配置されている。このような位置に排水ポンプを配置すると、排水ポンプ４を基準として、吹出口１１をファンの回転進入側に寄せることができないという課題も生じてくる。
【００４５】
これに対して、本実施例では図１に示されているように、排水ポンプ４を熱交換器１４の直線領域Ｓｔのファン１の回転退出側に配置させるように構成した。つまり、排水ポンプ４を基準として、吹出口１１を熱交換器１４の直線領域Ｓｔのファン１の回転進入側に寄せて配置するのでこの分だけ空間が空き、この空いた空間に排水ポンプ４を配置することができる。そして、排水ポンプ４をずらして配置することで、今まで排水ポンプ４が位置していた空間が更に空くので、排水ポンプ４を基準として、吹出口１１をこの空いた空間に寄せて配置することができるようになる。これによって、従来の室内機では排水ポンプ４が配置されていたが故に吹出口１１を移動するのが困難であったが、叙述した構成を採用することによって、吹出口１１を熱交換器１４の直線領域Ｓｔのファン１の回転進入側に延ばすことが可能となるものである。
【００４６】
また、図示はしていないが、化粧パネル２０には、フラップ１８を駆動するためのモータが搭載されている。このモータを、吹出口１１のファン回転退出側に配置することで、更に吹出口１１をファン１の回転進入側へ伸ばすことが可能となる。
【００４７】
以上の通り、本実施例によれば熱交換器の曲り領域から次の曲り領域の間に存在している直線領域に流体的に接続され、しかもこれと平行に配置された略長方形の吹出口を、直線領域の間でファンの回転進入側に寄せた位置に配置するようにした。これによれば、所定の風速が得られるように決められた長さを有する吹出口を、風速が大きいファンの回転進入側に寄せて配置するようにしたので、通風抵抗を小さくして効率よく空気を吹出口から吹き出すことができるようになる。これによって、結果として空気調和装置の省エネルギー化に貢献できるようになるものである。
【実施例２】
【００４８】
次に、本発明の第２の実施形態について図５を用いて詳細に説明する。図５において、排水ポンプ４は、ケーシング３の内部であって、かつ熱交換器１４の外側に位置し、更に排水ポンプ４から見てファン１の回転退出側の熱交換器１４の直線領域Ｓｔのファン側の面Ｕよりもファン１の回転進入側に配置した構成としている。
【００４９】
当然ながら、排水ポンプ４の配置位置は、排水ポンプ４から見てファン１の回転進入側の熱交換器１４の直線領域ｓｔの中心線Ｃeよりもファン１の回転退出である。この実施例では吹出口１１の投影部とは重ならない位置に配置されている。
【００５０】
図８に示す従来の室内機では、排水ポンプ４は隣り合う直線領域を接続する接続部に配置される構成である。しかも、この接続部は図９にあるように風速が大きい領域である。しかしながら、この接続部は排水ポンプ４が位置しているため通風の障害となっている。
【００５１】
一方、本実施例では上述したように、排水ポンプ４から見てファン１の回転退出側の熱交換器１４の直線領域Ｓｔのファン側の延長面Ｕよりもファン１の回転進入側に配置されているため、排水ポンプ４を基準としてファン１の回転退出側の曲り領域Ｃｏには排水ポンプ４が存在しないため、熱交換器の曲り領域Ｃｏを有効的に活用することができ、通風抵抗の低減や風量の増加を期待できるようになる。
【００５２】
また、図５では排水ポンプ４の配置位置を、バッフルプレート１２で囲まれた配管接続領域と、ファンの回転転中心に対して対称の位置に配置するようにしている。図８に示す従来の構成では、熱交換器１４の一つの直線領域Ｓｔの両端に排水ポンプ４と配管接続領域が位置するため、これの間に存在する吹出口１１の必要寸法の確保が難しいという課題があった。これに対して、本実施例では排水ポンプ４の配置位置を、バッフルプレート１２で囲まれた配管接続領域に対してファン１の回転転中心に対して対称の位置に配置するようにしているこのため、排水ポンプ４は配管領域が位置する熱交換器１４の直線領域Ｓｔとは異なる直線領域Ｓｔの部分に配置される。このため、吹出口１１の必要寸法を十分確保することが可能となる。
【００５３】
更に、排水ポンプ４が位置する熱交換器１４の直線領域Ｓｔのファン１の回転退出側をファン１側に曲げることによって、ファン１の回転退出側で直線領域Ｓｔが直線状に連続することを抑制して空気がより流れ易くすることで、吹出口１１から出る風速分布の均一化を向上することができる。
【００５４】
実施例１及び実施例２に示したように、吹出口１１が複数ある室内機においては、複数ある吹出口１１のうちで、少なくとも１つの吹出口１１を熱交換器１４の直線領域Ｓｔの範囲でファン１の回転進入側へ寄せれば通風抵抗の低減、風量の増加の効果は得られるものである。
【００５５】
ただ、望ましくは、両実施例のように吹出口１１が４方向であれば、全ての吹出口１１を熱交換器１４の直線領域Ｓｔの範囲でファン１の回転進入側へ寄せた方が高い効果が得られる。この理由は、１つでも従来の配置位置と同様の吹出口１１があると、その従来の配置位置にある吹出口１１と、本実施例のような配置位置にある吹出口１１との隣接部分において、その間の距離が大きく離れてしまうようになる。
【００５６】
したがって、この隣接部分において、比較的風量が大きい熱交換器１４の曲り領域Ｃｏの流れは、従来の吹出口１１に流れる空気は従来通り流れて風速の大きい領域を利用できず、また、本実施例のような配置を行なったものでは曲り領域Ｃｏから前側の吹出口１１が距離的に離れてしまうため通風抵抗が大きくなり好ましいものではない。
【００５７】
これに対して、全ての吹出口１１を熱交換器１４の直線領域Ｓｔの範囲で風速が大きいファン１の回転進入側へ寄せれば、風速が遅い側の吹出口１１からは距離が離れてしまうが、風速が大きい側の吹出口１１の距離は近くなるため通風抵抗を小さくすることができるようになる。
【実施例３】
【００５８】
次に、本発明の第３の実施形態について図６及び図７を用いて詳細に説明する。図６及び図７は吹出口１１が２方向のものに適用した場合を示しており、基本的な構成は図１に示した実施例と実質的に同様の構成である。図にあるように、ケーシング３の中心にファン１を有し、その外側に略方形の形状に形成された熱交換器１４が配置されている。熱交換器１４には実施例１と同様に直線領域Ｓｔと、これらを接続する曲り領域Ｃｏが備えられている。更に、その外側に略方形の吹出口１１が熱交換器１４の直線領域と平行に配置されている。そして、吹出口１１は直線領域Ｓｔの範囲において、吹出口１１をファン１の回転方向から見てファン１の回転進入側に寄せて配置するように構成されている。
【００５９】
ファン１によって生じる空気の流れと熱交換器１４のフィン１０の向きの関係は図４に示したのと同じであり、上述したように熱交換器１４の直線領域Ｓｔのファン１の回転進入側の方が回転退出側よりも熱交換器１４を通過する風量が大きくなる。
【００６０】
従って、吹出口１１をファン１の回転方向から見てファン１の回転進入側に寄せることで、従来の吹出口と比較して通風抵抗を小さくでき、風量を増加することができるようになる。また、吹出口１１をファン１の回転方向から見てファン１の回転進入側に寄せて配置することによって生じた空間に、実施例１と同様にフラップ１８用のモータを設置したり、配管接続領域を設置することが容易となり、設計自由度を高めることも可能となるものである。
【００６１】
以上の通り、本発明によれば熱交換器の曲り領域から次の曲り領域の間に存在している直線領域に流体的に接続され、しかもこれと平行に配置された略長方形の吹出口を、直線領域の間でファンの回転進入側に寄せた位置に配置するようにした。これによれば、所定の風速が得られるように決められた長さを有する吹出口を、風速が大きいファンの回転進入側に寄せて配置するようにしたので、通風抵抗を小さくして効率よく空気を吹出口から吹き出すことができるようになる。これによって、結果として空気調和装置の省エネルギー化に貢献できるようになるものである。
【符号の説明】
【００６２】
１…送風ファン、２…熱交換器配管、３…ケーシング、４…排水ポンプ、５…ガス側配管接続口、６…液側配管接続口、７…ガスヘッダー、８…分配器、９…膨張弁、１０…フィン、１１…吹出口、１２…バッフルプレート、１３…ファンモータ、１４…熱交換器、１５…排水溝、１６…グリル、１７…フィルター、１８…フラップ、１９…天井板、２０…化粧パネル、Ｒ…ファンの回転方向、Ｃｅ…ファンの中心から吹出口に延びる中心線、Ｓｔ…熱交換器の直線領域、Ｃｏ…熱交換器の曲り領域。
【図１】
2014163606.tif 000003
【図２】
2014163606.tif 000004
【図３】
2014163606.tif 000005
【図４】
2014163606.tif 000006
【図５】
2014163606.tif 000007
【図６】
2014163606.tif 000008
【図７】
2014163606.tif 000009
【図８】
2014163606.tif 000010
【図９】
2014163606.tif 000011